(57)【要約】　　　（修正有）【課題】土中の水分状態を視覚的に表示し、また聴覚的に報知すると供に必要に応じて水の補給も出来る機能性豊かな長寿命の低価格商品、土中の水分検知報知機器を提供する。【解決手段】検知部２の電気伝導特性を有する電気良導対２ａと電気良導対２ｂの２本を離れた状態にして土中に挿入し、土中の水のもつ電気伝導特性を媒体に２本の電気良導対２ａと電気良導対２ｂ間に起こる水の存在下での通電と水の非存在下での非通電状態を確認する方式のために、材料間の目詰まり等の心配もなくなり問題を解決した。また、視覚的表示や聴覚的報知の中に發光・音声・發色・文字等と多彩な方式が考えられ楽しみながら水の管理をする事も可能にした，また、必要に応じては水の補給も出来るようになり問題の解決は勿論、商品価値を飛躍的に高めた長寿命で使い易い、しかも安価な土中の水分検知報知機器１を提供出来るようにする。【選択図】　　　　図１
2004020554.tif 000002
【特許請求の範囲】
【請求項１】
土中の水の中に溶解しているイオン物質によって水が持つ電気伝導特性を利用して、検知部２の離れた２本の通電対、電気良導対２ａと電気良導対２ｂ間に水の存在下で電流が流れ、水の非存在下で電流が流れなく成る、この原理を応用した事を特徴とした、土中の水管理製品であつて、土中の水分検知報知機器１は、水検知部２と、コントロール部３と、表示部４と、電源部５と、外部コントロール部６と水補給部６ａと識別部７と電子スイッチ部８とケース蓋部９と本体ケース部１０から形成されている土中の水分検知報知機器１。
【請求項２】
土中の水分検知報知機器１から外部コントロール部６の水補給部６ａを省略した事を特徴とする、請求項１に記載の土中の水分検知報知機器１。
【請求項３】
土中の水分検知報知機器１から外部コントロール部６と水補給部６ａを省略した事を特徴とする、請求項１及び請求項２に記載の土中の水分検知報知機器１．
【請求項４】
土中の水分検知報知機器１の表示部４を識別表示・発光部４ａと報知コントロール・発光表示部４ｂの２つに分け、そして、通電と非通電用の電子スイッチ部８を設ける事で、通常時には微弱な消費電力の識別部７と識別表示・発光部４ａと水検知部２を作動させ、比較的消費電力の大きい報知コントロール・発光表示部４ｂを必要に応じて作動出来るように電源の切り替えを可能にして電池寿命を飛躍的に向上させている省エネルギータイプを特徴とする、請求項１，請求項２及び請求項３に記載の土中の水分検知報知機器１。
【発明の詳細な説明】
【０００１】
【発明の属する技術分野】
本発明は土中の水分検知報知機器１に関し、特に土中の水分を検知して、土中の水分を視覚表示や聴覚報知する、土中の水分検知報知機器に関する。
【０００２】
【従来の技術】
園芸農家や園芸愛好家、ハウス栽培農家にとつて、土中の水分管理は重要な要素の一つである。
しかし、本格的な水分管理機材は高価で且つ操作が複雑で、一般の園芸農家や、園芸愛好家、ハウス栽培農家等には不向きである。
【０００３】
そこで、一般の園芸農家や、園芸愛好家、ハウス栽培農家向けに、手軽に土中の水分検知表示を行う商品として実用新案登録第３０６１０２６　土中の水分濃度報知プレートがある。
【０００４】
【発明が解決しようとする課題】
上記実用新案登録商品の、土中の水分濃度報知プレートは水の毛細管現象を利用した商品の為に吸水中の微紛末土により製品の生命である毛細管材が目詰まりを起こし易く製品寿命が短くなる欠点がある。
【０００５】
【課題を解決する為の手段】
本発明の土中の水分検知報知機器１は、水の毛細管現象による検知方式を止めて、水中の微粉末土による毛細管材の目詰まりの心配がない、土中の水が持つ電気伝導特性による電気伝導形式の検知報知方式に切り替えた。
また、土中の水分不足時には土に水を補給出来るような機能も有する事もでき、長寿命でしかも安価で使い易い事を特徴としている。
【０００６】
【発明の実施の形態】
次に、添付図面を参照して本発明による土中の水分検知報知機器１について、実施の形態を詳細に説明する。
図１は、本発明による実施の形態を示す展開図、図２は側面組み立て図、図３は正面図、図４は背面図、図５は電気回路ブロック図である。
図１に示すように、本実施の形態による土中の水分検知報知機器１の平面形状は２本の足状の検知部２を含めて長方形状に形成されている。
【０００７】
検知部２は、電気良導対２ａと電気良導対２ｂの２本から成り、土の中には２ａと２ｂは離れた状態で差し込むような構造になつている又２ａと２ｂの間に起こる水を媒体とした電気的な通電と非通電を、識別部７が識別出来る信号を出す機能を持つている．その為に優れた電気伝導性が要求され、また、土の中に挿入して用いるために耐蝕性にも優れた素材でなければならないので、ここではステンレススチールを用いている。この検知部２の材料は、ステンレススチールにこだわるものではなく電気伝導性や耐蝕性に優れた材料であれば他の金属材料でも機能性プラスチックでも良く特に限定するものではない。
【０００８】
コントロール部３は、土中の水分検知報知機器１の中枢で、土中の水分検知報知機器１を管理するために必要な回路が組み込まれており、検知部２の電気良導対２ａと電気良導対２ｂの離れた電気良導対間に水の媒体で起こる電気伝導状態について識別部７が感知した情報を常に受信して、その状態に応じて表示部４の識別表示・発光部４ａと報知コントロール・発光表示部４ｂと外部コントロール部６と電子スイッチ部８のそれぞれに必要な情報發信が出来る機能を持つている。
尚、４ｂは表示力を高めコントロール的なものとして新たに設定したが、一般的な表示のに対しては４ａで対応できる。
【０００９】
表示部４は、識別表示・発光部４ａと報知コントロール・発光表示部４ｂとからなり、コントロール部３からの指示により土中の水分状態を發光や非發光、音声等により表示や報知する機能を持つている。
土中の水分検知報知機器１では、土中に水の存在下で非表示になり、土中に水の非存在下で赤いランプが点滅表示するように、コントロール部３は回路設計されている。
この，表示部４における表示は、検知部２の電気良導対２ａと電気良導対２ｂの離れた間に起こる水を媒体とした電気的通電と非通電により、非發光と發光（文字發光を含む）、發光と發光（文字發光を含む）、そして、これらに絵柄や文字を併用したり、音声を併用する事も可能である。
また、音声による報知だけにしても良いが、これらの方式の選択はコントロール部３の回路設計に委ねることで可能である。
【００１０】
電源部５は、土中の水分検知報知機器１の動力源である。
この電源部５は、ここでは単４電池２本を用いているが、単４電池にこだわるものではなく太陽電池等でも良い。
【００１１】
外部コントロール部６は、水中ポンプ部と散水部又は水循環中のライン上で用いる時は、バルブの開閉部と散水部からなる水補給部６ａの、水を補給するための設備をコントロールするためのものである。
【００１２】
識別部７は、水検知部２の電気良導対２ａと２ｂの離れた間に発生する水を媒体とする通電状態と非通電状態を識別するためのものである。
【００１３】
電子スイッチ部８は、消費電力を必要最小限にするためのもので、比較的消費電力の大きい報知コントロール・発光表示部４ｂに必要不可欠以外の電気を通電しないようにするためのものである。
【００１４】
ケース蓋部９は本体内部の保護と電源部５の電池保持と電池交換を容易にする為のものである。
【００１５】
本体ケース１０は製品全体を体裁良く包含し、製品の安全と外観美を保持し商品価値を高めるために用いられている。
【００１６】
【発明の効果】
本発明の、前述した土中の水分検知報知機器１は水を検知する原理を水の持つ電気的伝導特性を利用した製品にすることで、目詰りによる製品の短寿命化を解消し、また視覚表示だけの製品から、視覚表示に聴覚報知を加え更に必要に応じては水の補給までも行う事が出来る製品へと、商品価値を飛躍的に高めた。
【図面の簡単な説明】
【図１】本発明の土中の水分検知報知機器１における実施の形態を示す、土中の水分検知報知機器１の形状を示す展開図である。
【図２】本発明の土中の水分検知報知機器１における実施の形態を示す、土中の水分検知報知機器１の形状を示す側面組み立て図である。
【図３】本発明の土中の水分検知報知機器１における実施の形態を示す、土中の水分検知報知機器１の正面図である。
【図４】本発明の土中の水分検知報知機器１における実施の形態を示す、土中の水分検知報知機器１の背面図である。
【図５】本発明の土中の水分検知報知機器１における、電気回路ブロック図である。図中の実線と点線の矢印は信号系統で、２重線に矢印は電源供給系統を表す。
【符号の説明】
１　　土中の水分検知報知機器
２　　水検知部
２ａ　電気良導対
２ｂ　電気良導対
３　　コントロール部（回路パネル）
４　　表示部
４ａ　識別表示・発光部
４ｂ　報知コントロール・発光表示部
５　　電源部
６　　外部コントロール部
６ａ　水補給部
７　　識別部
８　　電子スイッチ部
９　　ケース蓋部
１０　本体ケース部
【図１】
2004020554.tif 000003
【図２】
2004020554.tif 000004
【図３】
2004020554.tif 000005
【図５】
2004020554.tif 000006
【手続補正書】
【提出日】平成15年2月6日(2003.2.6)
【手続補正１】
【補正対象書類名】図面
【補正対象項目名】全図
【補正方法】変更
【補正の内容】
【図１】
2004020554.tif 000007
【図２】
2004020554.tif 000008
【図３】
2004020554.tif 000009
【図４】
2004020554.tif 000010